(57)【要約】【課題】勲章等の記章を収納していた箱を紛失することを防止し、かつ、その箱を記章とともに飾ることができる叙勲記念用額縁を提供する。【解決手段】叙勲記念用の額縁１０であって、額縁１０の前面に、記章を配設する記章収納用開口部１１と、記章を収納していた箱を収納する箱収納用開口部１２と、証書を配設する証書収納用開口部１３を有する飾り板１４を備える。記章は、勲章、褒章、徽章、記念賞、メダル、杯及びバッジの少なくとも１つであり、証書は、勲記、位記及び賞状の少なくとも１つである。【選択図】図１
0003117745.tif 000002
【実用新案登録請求の範囲】
【請求項１】
叙勲記念用の額縁であって、
前記額縁の前面に、記章を配設する第１開口部と、前記記章を収納していた箱を収納する第２開口部とを有する飾り板を備える
ことを特徴とする額縁。
【請求項２】
前記飾り板はさらに、証書を配設する第３開口部を有する
ことを特徴とする請求項１記載の額縁。
【請求項３】
前記飾り板はさらに、位記を配設する第４開口部を有する
ことを特徴とする請求項２記載の額縁。
【請求項４】
前記飾り板は、前記額縁の前面に、開口部として、前記第１開口部及び前記第２開口部のみを有し、証書及び位記を配設する開口部を有しない
ことを特徴とする請求項１記載の額縁。
【請求項５】
前記記章は、勲章、褒章、徽章、記念賞、メダル、杯及びバッジの少なくとも１つである
ことを特徴とする請求項１〜４のいずれか１項に記載の額縁。
【請求項６】
前記証書は、勲記、位記及び賞状の少なくとも１つである
ことを特徴とする請求項２又は３記載の額縁。
【考案の詳細な説明】
【技術分野】
【０００１】
本考案は、額縁（額）に関し、特に、叙勲記念用の額縁に関する。
【背景技術】
【０００２】
叙勲によって授けられた勲章と勲記は、叙勲者にとって誇りと名誉の証であり、これらは、叙勲記念用額縁に収められ、室内に飾られる。ところが、勲章は箱に収納されて渡される場合が多く、叙勲者はその箱を額縁とは別の場所に保管しておく必要がある。そのために、箱が紛失しやすいという問題がある。
【０００３】
その問題を解決する従来の技術として、勲章を収納していた箱を収納することが可能な額縁が提案されている（例えば、特許文献１参照。）。
【特許文献１】実開昭６０−１６０７７３号公報  この従来の額縁によれば、図１０に示されるように、勲章を収納していた箱を収納する収納部２を額縁１の裏側に設け、これによって、勲章を収納していた箱が紛失してしまうことを防止している。
【考案の開示】
【考案が解決しようとする課題】
【０００４】
しかしながら、上記従来の額縁では、勲章を収納していた箱の紛失が防止されるものの、その箱を勲章や勲記とともに飾って勲章や勲記と一緒に来訪者に見てもらうということができないという問題がある。勲章を収納している箱は、例えば、漆塗りであり、蓋の上面には勲章名が金文字で記入され、多くの場合、美観を呈している。そして、勲章や勲記と同様に、叙勲者の誇りと名誉の証の一部となり得る。したがって、叙勲者によっては、勲章と勲記だけでなく、勲章を収納していた箱も一緒に飾りたいと望む者が少なくない。
【０００５】
そこで、本考案は、このような状況に鑑みてなされたものであり、勲章等の記章を収納していた箱を紛失することを防止し、かつ、その箱を記章とともに飾ることができる叙勲記念用額縁を提供することを目的とする。
【０００６】
また、装飾的効果から、勲章のクッション材を暗色にしたほうがより勲章が際立つが、勲章と勲章を収納していた箱を一つの開口部に掲示した場合、勲章を収納していた箱が、例えば、漆塗りであり、装飾的に勲章を収納していた箱が際立たない。
【０００７】
そこで、本考案は、記章を配設する第１開口部と、前記記章を収納していた箱を収納する第２開口部とを有する飾り板の二つ以上の開口部を有することを特徴とする、叙勲記念用額縁を提供することを具体的な目的とする。
【課題を解決するための手段】
【０００８】
上記目的を達成するために、本考案は、叙勲記念用の額縁であって、前記額縁の前面に、記章を配設する第１開口部と、前記記章を収納していた箱を収納する第２開口部とを有する飾り板を備えることを特徴とする。つまり、少なくとも記章とその収納箱とを一緒に飾ることができ構成となっている。これにより、勲章等の記章を収納していた箱を紛失することを防止し、かつ、その箱を記章とともに飾ることができる。
【０００９】
ここで、前記飾り板はさらに、証書を配設する第３開口部を有する構造であってもよい。つまり、記章と、その収納箱と、証書とを飾ることができる構成となっていてもよい。さらに、前記飾り板は、位記を配設する第４開口部を有する構造であってもよい。
【００１０】
なお、前記記章には、勲章、褒章、徽章、記念賞、メダル、杯及びバッジ等が含まれ、前記証書には、勲記、位記及び賞状等が含まれる。
【考案の効果】
【００１１】
本考案に係る額縁により、勲章等の記章を収納していた箱を紛失してしまうことを防止し、かつ、その箱を記章等とともに飾ることができる。つまり、記章を収納していた箱の紛失を防止するという実用的効果が奏されるだけでなく、記章と証書とともに、記章を収納していた箱も一緒に飾ることによる装飾的効果も奏される。
【考案を実施するための最良の形態】
【００１２】
以下、本考案の実施の形態について、図面を参照しながら詳細に説明する。
図１は、本考案に係る叙勲記念用額縁１０の斜視図である。この叙勲記念用額縁１０は、その前面に、記章を配設するための記章収納用開口部１１と、記章を収納していた箱を収納するための箱収納用開口部１２と、証書を配設するための証書収納用開口部１３とを有する飾り板１４を有する。
【００１３】
なお、記章には、勲章・褒章・徽章・記念賞・メダル・杯・バッジ等が含まれ、証書には、勲記・位記・賞状等が含まれる。よって、叙勲記念用額縁１０のサイズとしては、これら各種記章、証書及び箱のサイズにフィットする複数の種類を用意しておくのが好ましい。たとえば、勲章の径は３０〜９１ｍｍであり、褒章の径は２７ｍｍであり、叙勲賞状のサイズは５９５×４２５ｍｍであり、褒章賞状のサイズは５１５×３６４ｍｍであり、これらのサイズの組み合わせにフィットする複数の種類のサイズの叙勲記念用額縁１０として製作しておくのが好ましい。
【００１４】
図２〜図７は、図１に示された叙勲記念用額縁１０の詳細な構造を示す図である。つまり、図２は正面図、図３は背面図、図４は右側面図、図５は底面図、図６は図２におけるＡ−Ａ線断面図、図７は図２におけるＢ−Ｂ線断面図である。
【００１５】
この叙勲記念用額縁１０は、図２の正面図に示されるように、全体として、横長の長方形状であり、その飾り板１４には、向かって右側に証書収納用開口部１３が設けられ、左上に記章収納用開口部１１が設けられ、左下に箱収納用開口部１２が設けられている。
【００１６】
また、この叙勲記念用額縁１０の背面は、図３の背面図に示されるように、木製の枠体２０に回動可能に取り付けられた係止部材２１ａによって裏板２１が固定されている。また、この叙勲記念用額縁１０の厚みは、図４の右側面図及び図５の底面図に示されるように、例えば、約2.5ｃｍ以上である。
【００１７】
さらに、図６及び図７の断面図に示されるように、この叙勲記念用額縁１０の前面には、枠体２０と飾り板１４の縁部に挟持される透明のガラス板２２が設けられている。ガラス板２２を通して見える飾り板１４は、表面に色彩や模様等が施されたマット等であり、証書、記章及び箱を保持するとともに、外観上、それらの背景を構成する。
【００１８】
飾り板１４の証書収納用開口部１３には、底板１３０が設けられ、飾り板１４と底板１３０とによって証書が挟持される。また、飾り板１４の記章収納用開口部１１には、図６に断面図に示されるように、前面より、ガラス板１１０、クッション１１１、底板１１２が設けられ、叙勲記念用額縁１０とクッション１１１とによって記章が挟持される。さらに、飾り板１４の箱収納用開口部１２には、図７の断面図に示されるように、前面より、クッション１２０、底板１２１が設けられ、箱収納用開口部１２における内側面を構成する枠体２０の一部とクッション１２０とによって囲まれる前面が開放された直方体空間に、記章を収納していた箱が収納され保持される。
【００１９】
以上のような構造からなる本実施の形態における係る叙勲記念用額縁１０の額装方法は次に通りである。まず、枠体２０の背面に取り付けられている係止部材２１ａを回転させて裏板２１を取り外す。すると、枠体２０、ガラス板２２、飾り板１４等の各構成物が分解可能な状態となるので、証書、記章及び箱を取り付けるのに必要な構成物を分解する。そして、飾り板１４と底板１３０で挟むようにして証書を固定し、ガラス板１１０とクッション１１１で挟むようにして記章を固定し、飾り板１４の箱収納用開口部１２に箱を挿入する。証書、記章及び箱の取り付けが完了したら、各構成物を組み立て、裏板２１とともに背面から枠体２０に納め、枠体２０の係止部材２１ａを回転させて裏板２１を固定する。このようにして、叙勲記念用額縁１０の前面に証書、記章及び箱を取り付けて飾ることができる。
【００２０】
以上のように、本実施の形態における叙勲記念用額縁１０によれば、記章及び証書だけでなく、記章を収納していた箱も前面に飾られ、来訪者に見てもらうことができる。よって、記章を収納していた箱の紛失を防止するという実用的効果が奏されるだけでなく、記章と証書とともに、記章を収納していた箱も一緒に飾ることによる装飾的効果も奏される。特に、勲章等を収納している箱は、漆塗りであり、蓋の上面には勲章名等が金文字で記入され、美観を有するので、装飾的効果だけでなく、記章や証書とあいまって、叙勲者の誇りと名誉の証を一層きわだったものに演出してくれる。
【００２１】
以上、本考案に係る叙勲記念用額縁について、実施の形態に基づいて説明したが、本考案はこの実施の形態に限定されるものではない。
【００２２】
たとえば、図１に示される実施の形態では、本考案に係る叙勲記念用額縁１０は勲記勲章一体型であったが、本考案は、このような構成だけでなく、図８に示されるように、勲記勲章分離型であってもよいし、図９に示されるように、勲記勲章位記一体型であってもよい。
【００２３】
つまり、図８に示される勲記勲章分離型では、本考案は、２つの叙勲記念用額縁１０ａ及び１０ｂに分離された構成を備える。一方の叙勲記念用額縁１０ａは、図８（ａ）に示されるように、その前面に、記章を配設するための記章収納用開口部１１ａと、記章を収納していた箱を収納するための箱収納用開口部１２ａとを有する飾り板１４ａを備える。つまり、この飾り板１４ａは、額縁の前面に、開口部として、記章を配設するための記章収納用開口部１１ａと記章を収納していた箱を収納するための箱収納用開口部１２ａのみを有し、証書及び位記を配設する開口部を有しない。他方の叙勲記念用額縁１０ｂは、図８（ｂ）に示されるように、その前面に、証書を配設するための証書収納用開口部１３ａだけを有する飾り板１４ｂを備える。
【００２４】
また、図９に示される勲記勲章位記一体型では、本考案に係る叙勲記念用額縁１０ｃは、その前面に、記章を配設するための記章収納用開口部１１ｂと、記章を収納していた箱を収納するための箱収納用開口部１２ｂと、証書を配設するための証書収納用開口部１３ｂと、位記を配設する位記収納用開口部１５とを有する飾り板１４ｃを備える。なお、位記とは、律令制において位階を授けるときに与える文書であり、そのサイズは、従四位以上が３０６×２２７ｍｍであり、従五位以下が２９９×２１５ｍｍであるので、上述したように、位記のサイズに合わせた様々なサイズの叙勲記念用額縁を製作しておくのが好ましい。
【００２５】
また、記章収納用開口部のクッション材は、前面ガラス板に記章を押し付けて記章を固定する方式以外にも、記章の型を凹まして、ガラス板との空隙を利用して固定する方法や、記章を引掛けて固定出来るようにしておいてもよい。
【産業上の利用可能性】
【００２６】
本考案は、叙勲記念用の額縁として、特に、勲章、褒章、徽章、記念賞、メダル、杯及びバッジ等の記章や、勲記、位記及び賞状等の証書だけでなく、その記章を収納していた箱も一緒に飾ることができる額縁として利用できる。
【図面の簡単な説明】
【００２７】
【図１】本考案に係る叙勲記念用額縁の斜視図である。
【図２】同叙勲記念用額縁の正面図である。
【図３】同叙勲記念用額縁の背面図である。
【図４】同叙勲記念用額縁の右側面図である。
【図５】同叙勲記念用額縁の底面図である。
【図６】図２におけるＡ−Ａ線断面図である。
【図７】図２におけるＢ−Ｂ線断面図である。
【図８】勲記勲章分離型の叙勲記念用額縁の正面図である。
【図９】勲記勲章位記一体型の叙勲記念用額縁の正面図である。
【図１０】従来の額縁の外観図である。
【符号の説明】
【００２８】
１０、１０ａ〜ｃ    叙勲記念用額縁
１１、１１ａ、１１ｂ    記章収納用開口部
１２、１２ａ、１２ｂ    箱収納用開口部
１３、１３ａ、１３ｂ    証書収納用開口部
１４、１４ａ〜ｃ    飾り板
１５    位記収納用開口部
２０    枠体
２１    裏板
２１ａ  係止部材
２２、１１０    ガラス板
１１０    ガラス板
１１１、１２０    クッション
１１２、１２１、１３０    底板
【図１】
0003117745.tif 000003
【図２】
0003117745.tif 000004
【図３】
0003117745.tif 000005
【図４】
0003117745.tif 000006
【図５】
0003117745.tif 000007
【図６】
0003117745.tif 000008
【図７】
0003117745.tif 000009
【図８】
0003117745.tif 000010
【図９】
0003117745.tif 000011
【図１０】
0003117745.tif 000012